(57)【特許請求の範囲】
【請求項１】
無端チェーンに所定間隔離して取り付けた二つの垂直ローラを介して物品収納具を複数取り付けて長円状の水平循環経路に沿って回動させた回転棚単体を上下方向に複数段積層させ、水平循環経路途中に物品の入庫装置と出庫装置を配設し、上記無端チェーンの駆動装置が上記無端チェーンの直進経路に配設されている構成の回転棚であって、上記旋回経路の無端チェーンの垂直ローラが円を基本にして形成された複数の曲率からなる固定されたガイドで規制されていると共に、無端チェーンの直進経路側から旋回経路の中央部側に向かって上記ガイドの曲率が段階的に大きくなるように形成し、更に同規制部のガイドは上下２枚設けられ、上ガイドは無端チェーンの上側の垂直軸ローラと接する高さに、下側のガイドは無端チェーンの下側の垂直軸ローラと接する高さに配設され、無端チェーンを上下ガイド間の空間に位置させたことを特徴とする、回転棚。
【発明の詳細な説明】
【０００１】
【発明の属する技術分野】
本発明は、水平の循環経路に沿って回動する回転棚に関するものであり、特に収納された物品を乱すことなく物品収納具を高速度で回動することができる回転棚に関するものである。
【０００２】
【従来の技術】
回転棚に関する従来の技術としては、特開平１−１６２６１０号公報に記載のもの等が知られている。
【０００３】
上記公報に記載されている従来の技術について説明すると、特開平１−１６２６１０号公報には、細長いベース上に複数の収納箱を循環可能とし、ベースの長手方向に各々設けた原動車及び従動車間に、楕円状の駆動無端可撓体を駆動可能に巻き掛けし、該駆動無端可撓体の長手方向の両端側の原動車及び従動車側に弧状ガイドを設けて、二次曲線として形成した循環型倉庫が記載されている。
【０００４】
【発明が解決しようとする課題】
しかしながら、上記の従来の技術は以下のような課題を有していた。
【０００５】
即ち、特開平１−１６２６１０号公報に記載されている循環型倉庫は、駆動無端可撓体（歯付ベルト、チェーン等）の旋回経路が楕円状であり、（真）円状でないため、一般的に製造されている旋回経路が円状である回転棚との間に互換性がないという問題があった。
【０００６】
従って、本発明の目的は、無端チェーンの旋回経路を（真）円を基本にして形成された複数の曲率からなるガイドで規制することにより、収納された物品を乱すことなく物品収納具を高速度で回動することができる回転棚を提供することにある。
【０００７】
【課題を解決するための手段】
本発明は、無端チェーンに所定間隔離して取り付けた二つの垂直ローラを介して物品収納具を複数取り付けて長円状の水平循環経路に沿って回動させた回転棚単体を上下方向に複数段積層させ、水平循環経路途中に物品の入庫装置と出庫装置を配設し、上記無端チェーンの駆動装置が上記無端チェーンの直進経路に配設されている構成の回転棚であって、上記旋回経路の無端チェーンの垂直ローラが円を基本にして形成された複数の曲率からなる固定されたガイドで規制されていると共に、無端チェーンの直進経路側から旋回経路の中央部側に向かって上記ガイドの曲率が段階的に大きくなるように形成し、更に同規制部のガイドは上下２枚設けられ、上ガイドは無端チェーンの上側の垂直軸ローラと接する高さに、下側のガイドは無端チェーンの下側の垂直軸ローラと接する高さに配設され、無端チェーンを上下ガイド間の空間に位置させたことを特徴とする回転棚を提供することによって上記の目的を達成したものである。
【０００８】
また、無端チェーンが水平の循環経路が長円状であることが好ましい。
【０００９】
【実施例】
以下、本発明の実施の形態を説明する。
【００１０】
図１は本発明の回転棚を用いた物品の荷揃え設備の一実施例を示す斜視図、図２は図１に示す回転棚の概略平面図（但し、物品収納具の取り付け個数は異なっている）、図３は図２に示す回転棚の旋回移動部の概略平面図で、物品収納具（トレイ）を仮想線で示している。また、図４は図３に示す旋回移動部の拡大図、図５は図４に示す旋回移動部のガイドの形状説明図、図６は図２に示す回転棚の旋回移動部の断面図、図７は図６の要部拡大図（但し、トレイ取付プレートの形状が図３、図４および図６に示す実施例と異なる他の実施例である）、図８は図２に示す回転棚の直線移動部の断面図、図９は無端チェーンの駆動装置の平面図（但し、トレイ取付プレートの形状が図３、図４および図６に示す実施例と異なる他の実施例である）、図１０は図９の側面（断面）図、図１１は図１０の要部拡大図、図１２は図９〜図１１に示す他の実施例の無端チェーンの断面図、図１３は図１２の平面図、図１４は図９に示す回転棚の旋回移動部の概略平面図である。
【００１１】
これらの図面において、１は無端チェーン１４に取り付けられた複数の物品収納具（トレイ）１２を水平の（長円状の）循環経路に沿って回動する回転棚、２は回転棚１の直線移動部の側方に配設された移し替え装置、３は回転棚１の直線移動部の側方に配設された入庫装置、４は回転棚１の直線移動部の側方に配設された出庫装置、５は回転棚１の直線移動部に沿って配設された搬入コンベア、６は回転棚１の直線移動部に沿って配設された搬出コンベアであり、無端チェーン１４の旋回経路Ｃが円を基本にして形成された複数の曲率からなるガイド１５で規制されていると共に、無端チェーン１４の駆動装置１６が無端チェーン１４の直進経路Ｓの複数箇所に配設されている。尚、ガイド１５が固定されており、無端チェーン１４の直進経路Ｓ側から旋回経路Ｃの中央部側に向かってガイド１５の曲率が段階的に大きくなるように形成されている。而して、上述の物品の荷揃え設備による物品の荷揃え方法は、搬入コンベア５を経て搬入された物品Ｇを入庫装置３によって回転棚１の保管用のトレイ１２に１個ずつフリーロケーションにて収納するようになしてあると共に、出荷要求（例えば、出荷先別の出荷順序およびその出荷品種、数量のデータ等の情報）が決定すると、予め保管用のトレイ１２から物品Ｇを取り出して、取り出された複数の種類（品種）の物品Ｇを移し替え装置２によって無端チェーン１４に取り付けられた荷揃え用の連続する複数のトレイ１２に出庫される順序に収納するように移し替えて荷揃えするようになしてある。したがって、出荷用のトラック等が到着した時には、既に物品Ｇは荷揃え用のトレイ１２に出庫される順序に荷揃えされているので、極めて短時間に所望の物品Ｇを所望の順序で出庫することができる。
【００１２】
上記実施例における各部について説明すると、回転棚１は回転棚単体１１を適宜間隔で複数段（図１に示される実施例では１０段）積層して構成されており、それぞれの回転棚単体１１は、無端チェーン１４に等間隔に取り付けられた複数のトレイ１２が水平の長円状の循環経路に沿って配設された走行レール１３上を走行（回動）可能に支持されていると共に、無端チェーン１４は両端の旋回移動部に固定設置されたガイド１５に巻き掛けられて走行レール１３に沿うように掛張され、連動運転される複数の駆動装置１６によって無端チェーン１４が回動されることにより、他の段の回転棚単体１１とは無関係に回動されるようになしてある。尚、それぞれの回転棚単体１１は他の段の回転棚単体１１と無関係に回動されるように構成されているが、１本または同期運転される複数本の無端チェーン１４にトレイ１２を適宜間隔で複数段に固定して複数段からなる回転棚単体１１を構成し、複数段からなる回転棚単体１１を複数組（複数段）積層することによって回転棚１を構成してもよい。また、１段からなる回転棚単体１１と複数段からなる回転棚単体１１とを複数組（複数段）積層することによって回転棚１を構成してもよい。
【００１３】
而して、トレイ１２は、底板１２１、側壁１２２、奥壁１２３等を備え、底板１２１に取り付けられたチェーン取付プレート１２４が無端チェーン１４に取り付けられたトレイ取付プレート１４３に固定されることによって、無端チェーン１４に等間隔に取り付けられている。尚、１２５は底板１２１の外側底面に軸支された一対の外側水平軸ローラ、１２６は底板１２１の奥側底面に軸支された奥側水平軸ローラである。また、底板１２１の外側端部は山型の突起１２７が形成されており、側壁１２２の外側端部１２８は横側に広げられている。
【００１４】
また、走行レール１３は、回転棚単体１１（トレイ１２）の直線移動部を形成する一対の溝型レール１３１と、回転棚単体１１（トレイ１２）の旋回移動部を形成する一対の板状レール１３２とで構成されている。
【００１５】
また、無端チェーン１４は、標準ローラチェーン（例えば、「ＪＩＳ  Ｂ  １８０１  ６０」の伝動用ローラチェーン）１４１の上下にガイド用の垂直軸ローラ１４２が所定の間隔（例えば、１３３．３５ｍｍ、１５２．４ｍｍ、１３３．３５ｍｍの繰り返し）で取り付けられており、トレイ１２の幅寸法（例えば、３６５ｍｍ）より狭い１５２．４ｍｍの間隔で取り付けられた垂直軸ローラ１４２の上部を繋ぐようにトレイ取付プレート１４３が取り付けられている。尚、図１２に示す無端チェーン１４はトレイ取付プレート１４３の長さをトレイ１２の幅寸法より大きくした場合の実施例である。
【００１６】
また、回転棚単体１１（トレイ１２）の旋回移動部に固定設置されたガイド１５は、無端チェーン１４の旋回経路Ｃを規制するために、その規制部（図５において実線で示された曲線部分）が平面視において複数の曲率からなっており、無端チェーン１４の直進経路Ｓ側から旋回経路Ｃの中央部側に向かってその規制部の曲率が段階的に大きくなる（曲率半径が段階的に小さくなる）ように形成されている。例えば、旋回経路Ｃが円を基本にして（円に沿って）形成されており、その円の半径が４００ｍｍの場合（図５参照）には、無端チェーン１４の直進経路Ｓ側から旋回経路Ｃの中央部側に向かって半径４００ｍｍの円の円周上で中心角が０°のポイントをａ、２２．５°のポイントをｂ、４５°のポイントをｃ、６７．５°のポイントをｄ、９０°のポイントをｅとし、ポイントａとポイントｂとを通過する（曲率）半径１６００ｍｍの円弧、ポイントｂとポイントｃとを通過する（曲率）半径８００ｍｍの円弧、ポイントｃとポイントｄとを通過する（曲率）半径５３０ｍｍの円弧、ポイントｄとポイントｅとを通過する（曲率）半径４００ｍｍの円弧（旋回経路Ｃの基本にした円の一部）、およびポイントａの周辺で直進経路Ｓと（曲率）半径１６００ｍｍの円弧とに接する半径２００ｍｍの円弧、ポイントｂの周辺で（曲率）半径１６００ｍｍの円弧と（曲率）半径８００ｍｍの円弧とに接する半径２００ｍｍの円弧、ポイントｃの周辺で（曲率）半径８００ｍｍの円弧と（曲率）半径５３０ｍｍの円弧とに接する半径２００ｍｍの円弧、とをそれぞれ結んだ複数（７つ）の半径の円弧の組み合わせでガイド１５の規制部の半分が形成されており、中心角が９０°〜１８０°に対する規制部は中心角が０°〜９０°に対する規制部と線対称に形成されている。即ち、ガイド１５の規制部は、曲率半径が段階的に小さくなるそれぞれの円弧を滑らかに繋ぐために半径２００ｍｍの短い円弧で繋げられているが、実質的には、ガイド１５の規制部の曲率半径は、無端チェーン１４の直進経路Ｓ側から旋回経路Ｃの中央部側に向かって、１６００ｍｍ、８００ｍｍ、５３０ｍｍ、４００ｍｍと段階的に小さくなる（曲率が段階的に大きくなる）ように形成されている。また、その規制部が上述のように形成されたガイド１５が上下２枚設けられており、上側のガイド１５の規制部は無端チェーン１４の上側の垂直軸ローラ１４２と接する高さに、下側のガイド１５の規制部は無端チェーン１４の下側の垂直軸ローラ１４２と接する高さに配設されているので、無端チェーン１４の上側と下側の垂直軸ローラ１４２がそれぞれ上下２枚のガイド１５の規制部に沿って旋回されるように規制され、無端チェーン１４の標準ローラチェーン１４１は図４に示すように垂直軸ローラ１４２と隣接する垂直軸ローラ１４２とを結ぶ弦を形成（それぞれの垂直軸ローラ１４２を角とする多角形を形成）した状態、即ち標準ローラチェーン１４１の一部が上側のガイド１５と下側のガイド１５との隙間１５１に入った状態で旋回されるように規制され、無端チェーン１４の旋回経路Ｃは上下２枚の円弧状のガイド１５で規制されることになる。尚、図４に示す実施例では標準ローラチェーン１４１の一部が上側のガイド１５と下側のガイド１５との隙間１５１に入った状態であることが理解しずらいが、標準ローラチェーン１４１の一部が上側のガイド１５と下側のガイド１５との隙間１５１に入っていることが理解しやすい実施例（図１４参照）の説明において、このことは明確になる。
【００１７】
即ち、図１４は無端チェーン１４のトレイ取付プレート１４３の長さをトレイ１２の幅寸法より大きくした場合の実施例であり、無端チェーン１４の標準ローラチェーン１４１は垂直軸ローラ１４２と隣接する垂直軸ローラ１４２とを結ぶ（４１９．１ｍｍの長さの）弦を形成（それぞれの垂直軸ローラ１４２を角とする多角形を形成）した状態、即ち標準ローラチェーン１４１のほとんどの部分が上側のガイド１５と下側のガイド１５との隙間１５１に入った状態で旋回されるように規制されている。
【００１８】
また、駆動装置１６は、図２に示すように、無端チェーン１４に等間隔に取り付けられた２９個ずつのトレイ１２に対して１つずつ、無端チェーン１４の直進経路Ｓの複数箇所に配設されて、互いに連動運転されるようになしてあり、それぞれの駆動装置１６は、無端チェーン１４に沿って配設された一対の駆動スプロケット１６１、１台の駆動用モータ１６２等で構成され、一対の駆動スプロケット１６１によって無端チェーン１４の標準ローラチェーン１４１が長円状の循環経路に沿って正転方向と逆転方向との両方向に回動されるようになしてある。尚、トレイ１２、無端チェーン１４、駆動装置１６等をユニット化し、例えば５０個のトレイ１２を１ユニットとして、２００個のトレイ１２が無端チェーン１４に取り付けられている回転棚１（回転棚単体１１）の場合には、４ユニットで構成されているので、無端チェーン１４の直進経路Ｓに４つの駆動装置１６を等間隔で設ければよい。
【００１９】
また、回転棚１を用いた物品の荷揃え設備の移し替え装置２は、回転棚１の直線移動部の側方に２台配設され、それぞれ２本のマスト、その上部に横設された上部フレーム、その下部に横設された下部フレーム、２本のマストに沿って昇降する昇降台、昇降台に搭載された一対のフォーク装置等で構成されており、一対のフォーク装置はそれぞれ独立してトレイ１２の方向に出退可能に構成され、物品Ｇを保管用のトレイ１２から取り出して荷揃え用のトレイ１２に収納するようになしてある。尚、昇降台の昇降によってフォーク装置は全ての段の回転棚単体１１と対峙できるように構成されている。
【００２０】
また、入庫装置３は、回転棚１の直線移動部の側方に２台配設され、移し替え装置２と同様に、それぞれ２本のマスト、その上部に横設された上部フレーム、その下部に横設された下部フレーム、２本のマストに沿って昇降する昇降台、昇降台に搭載された一対のフォーク装置等で構成されており、一対のフォーク装置はそれぞれ独立してトレイ１２の方向に出退可能に構成され、搬入コンベア５の入庫ステーション上の物品Ｇを取り込んで保管用のトレイ１２に収納するようになしてある。尚、昇降台の昇降によってフォーク装置は全ての段の回転棚単体１１と対峙できるように構成されている。
【００２１】
また、出庫装置４は、回転棚１の直線移動部の側方に配設され、移し替え装置２と同様に、それぞれ２本のマスト、その上部に横設された上部フレーム、その下部に横設された下部フレーム、２本のマストに沿って昇降する昇降台、昇降台に搭載された一対のフォーク装置等で構成されており、一対のフォーク装置はそれぞれ独立してトレイ１２の方向に出退可能に構成され、物品Ｇを荷揃え用のトレイ１２から取り出して搬出コンベア６の出庫ステーション上に載置するようになしてある。尚、昇降台の昇降によってフォーク装置は下から１段目〜下から３段目の回転棚単体１１と対峙できるように構成されている。
【００２２】
また、搬入コンベア５は、回転棚１の直線移動部に沿って配設され、その終端部および中間部に４個の入庫ステーションを備えている駆動ローラコンベアである。
【００２３】
また、搬出コンベア６は、回転棚１の直線移動部に沿って配設され、２個の出庫ステーションを備える駆動ローラコンベアでなる始端部６２、水平駆動ローラコンベアでなる搬送部６３、始端部６２と搬送部６３とを繋ぐ揺動ベルトコンベアでなる揺動部６４等で構成されており、揺動部６４はその搬送部６３側の端部を一定の高さに保つと共に、出庫装置４の昇降台に搭載されている始端部６２の昇降に追従してその始端部６２側の端部を昇降し得るように構成されている。
【００２４】
而して、上述の物品の荷揃え設備による物品の荷揃え方法は、搬入コンベア５を経て搬入された物品Ｇを入庫装置３によって回転棚１の保管用のトレイ１２に１個ずつフリーロケーションにて収納するようになしてあると共に、出荷要求（例えば、出荷先別の出荷順序およびその出荷品種、数量のデータ等の情報）が決定すると、予め保管用のトレイ１２から物品Ｇを取り出して、取り出された複数の種類（品種）の物品Ｇを移し替え装置２によって荷揃え用のトレイ１２に出庫される順序に収納するように移し替えて荷揃えするようになしてある。したがって、出荷用のトラック等が到着した時には、既に物品Ｇは荷揃え用のトレイ１２に出庫される順序に荷揃えされているので、極めて短時間に所望の物品Ｇを所望の順序で出庫することができる。
【００２５】
次に、無端チェーン１４が直進経路Ｓから旋回経路Ｃに乗り移るときに生じる加速度について、先ず無端チェーン１４の旋回経路Ｃが一定の（曲率）半径である場合の参考例について説明する。即ち、図１５に示すように、無端チェーン１４の回動速度Ｖ０が２５ｍ／ｍｉｎ、旋回経路Ｃの半径が４００ｍｍ、無端チェーン１４の垂直軸ローラ１４２の間隔Ｐが１４０ｍｍ（図４等で示された実施例では１５２．４ｍｍ）、無端チェーン１４の垂直軸ローラ１４２とトレイ１２の外側端部までの距離Ｌｓが５５０ｍｍである場合には、直進経路Ｓにおけるトレイ１２の外側端部の回動速度Ｖ１は２５ｍ／ｍｉｎであり、旋回経路Ｃにおけるトレイ１２の外側端部の回動速度Ｖ２は５９．４ｍ／ｍｉｎとなる。また、１４０ｍｍの間隔Ｐで取り付けられた一対の垂直軸ローラ１４２が直進経路Ｓから旋回経路Ｃに乗り移るために要する時間ｔは０．３３６ｓである。したがって、無端チェーン１４が直進経路Ｓから旋回経路Ｃに乗り移るときにトレイ１２の外側端部に生じる加速度αは重力の０．１７倍の値となる。
【００２６】
無端チェーン１４の旋回経路Ｃが一定の曲率（半径）である場合の参考例に対して、本発明の回転棚１のように無端チェーン１４の直進経路Ｓ側から旋回経路Ｃの中央部側に向かってガイド１５の曲率が段階的に大きくなる（曲率半径が段階的に小さくなる）ように形成されている場合には、図１６に示すように、無端チェーン１４の回動速度Ｖ０が２５ｍ／ｍｉｎ、旋回経路Ｃの（曲率）半径が１６００ｍｍ、無端チェーン１４の垂直軸ローラ１４２の間隔Ｐが１４０ｍｍ（図４等で示された実施例では１５２．４ｍｍ）、無端チェーン１４の垂直軸ローラ１４２とトレイ１２の外側端部までの距離Ｌｓが５５０ｍｍである場合には、直進経路Ｓにおけるトレイ１２の外側端部の回動速度Ｖ１は２５ｍ／ｍｉｎであり、旋回経路Ｃにおけるトレイ１２の外側端部の回動速度Ｖ２は３３．６ｍ／ｍｉｎとなる。また、１４０ｍｍの間隔Ｐで取り付けられた一対の垂直軸ローラ１４２が直進経路Ｓから旋回経路Ｃに乗り移るために要する時間ｔは０．３３６ｓである。したがって、無端チェーン１４が直進経路Ｓから旋回経路Ｃに乗り移るときにトレイ１２の外側端部に生じる加速度αは重力の０．０４倍の値となる。
【００２７】
また、図１７に示すように、無端チェーン１４の回動速度Ｖ０が２５ｍ／ｍｉｎ、旋回経路Ｃの（曲率）半径が１６００ｍｍから８００ｍｍになるときには、（曲率）半径が１６００ｍｍである旋回経路Ｃにおけるトレイ１２の外側端部の回動速度Ｖ２は３３．６ｍ／ｍｉｎ、（曲率）半径が８００ｍｍである旋回経路Ｃにおけるトレイ１２の外側端部の回動速度Ｖ３は４２．２ｍ／ｍｉｎであり、１４０ｍｍの間隔Ｐで取り付けられた一対の垂直軸ローラ１４２が（曲率）半径が１６００ｍｍである旋回経路Ｃから（曲率）半径が８００ｍｍである旋回経路Ｃに乗り移るために要する時間ｔは０．３３６ｓであるので、無端チェーン１４が旋回経路Ｃの（曲率）半径が１６００ｍｍから８００ｍｍに乗り移るときにトレイ１２の外側端部に生じる加速度αは重力の０．０４倍の値となる。
【００２８】
したがって、本発明の回転棚１のように無端チェーン１４の直進経路Ｓ側から旋回経路Ｃの中央部側に向かってガイド１５の規制部の曲率が段階的に大きくなる（曲率半径が段階的に小さくなる）ように形成されている場合には、無端チェーン１４の旋回経路Ｃが一定の（曲率）半径である場合の参考例に比べて、トレイ１２に収納されている物品Ｇがトレイ１２の底板１２１上を滑って、移し替え装置２等の（フォーク装置の）出退方向に対して傾く（回転する）ことを防止できる。また、無端チェーン１４の回動速度Ｖ０を２５ｍ／ｍｉｎから５０ｍ／ｍｉｎに高速化しても、トレイ１２の外側端部に生じる加速度αは重力の０．１７倍の値、即ち図１５に示す無端チェーン１４の旋回経路Ｃが一定の（曲率）半径である場合の参考例において無端チェーン１４の回動速度Ｖ０を２５ｍ／ｍｉｎとした場合にトレイ１２の外側端部に生じる加速度αの値と同一なので、トレイ１２に収納されている物品Ｇがトレイ１２の底板１２１上を滑って、移し替え装置２等の（フォーク装置の）出退方向に対して傾く（回転する）量を増加することなく、回転棚１の高速回動化を達成することができる。
【００２９】
以上、本発明の実施の形態を本発明の回転棚を用いた物品の荷揃え設備の実施例と共に説明したが、本発明の回転棚はこれらに制限されるものではない。例えば、複数の曲率からなるガイド１５の規制部を側面に形成せずに、溝によって形成してもよい。
【００３０】
また、無端チェーン１４のガイド用の垂直軸ローラ１４２が標準ローラチェーン１４１の上下の一方側のみに取り付けられていてもよい。
【００３１】
また、駆動装置１６としてリニアモータを利用してもよい。
【００３２】
【発明の効果】
本発明の回転棚は、上述のとおり構成されているので、収納された物品を乱すことなく物品収納具を高速度で回動することができる。
【図面の簡単な説明】
【図１】  本発明の回転棚を用いた物品の荷揃え設備の一実施例を示す斜視図である。
【図２】  図１に示す回転棚の概略平面図（但し、物品収納具の取り付け個数は異なっている）である。
【図３】  図２に示す回転棚の旋回移動部の概略平面図で、物品収納具（トレイ）を仮想線で示している。
【図４】  図３に示す旋回移動部の拡大図である。
【図５】  図４に示す旋回移動部のガイドの形状説明図である。
【図６】  図２に示す回転棚の旋回移動部の断面図である。
【図７】  図６の要部拡大図（但し、トレイ取付プレートの形状が図３、図４および図６に示す実施例と異なる他の実施例）である。
【図８】  図２に示す回転棚の直線移動部の断面図である。
【図９】  無端チェーンの駆動装置の平面図（但し、トレイ取付プレートの形状が図３、図４および図６に示す実施例と異なる他の実施例）である。
【図１０】  図９の側面（断面）図である。
【図１１】  図１０の要部拡大図である。
【図１２】  図９〜図１１に示す他の実施例の無端チェーンの断面図である。
【図１３】  図１２の平面図である。
【図１４】  図９に示す回転棚の旋回移動部の概略平面図である。
【図１５】  無端チェーンが直進経路から旋回経路に乗り移るときに生じる加速度についての説明図で、旋回経路が一定の（曲率）半径である場合の参考例である。
【図１６】  無端チェーンが直進経路から旋回経路に乗り移るときに生じる加速度についての説明図で、直進経路側から旋回経路の中央部側に向かってガイドの曲率が段階的に大きくなるように形成されている場合の実施例である。
【図１７】  無端チェーンが（曲率）半径１６００ｍｍの旋回経路から（曲率）半径８００ｍｍの旋回経路に乗り移るときに生じる加速度についての説明図で、直進経路側から旋回経路の中央部側に向かってガイドの曲率が段階的に大きくなるように形成されている場合の実施例である。
【符号の説明】
１  回転棚
１２  物品収納具（トレイ）
１４  無端チェーン
１５  ガイド
１６  駆動装置
１７  駆動装置
Ｃ  旋回経路
Ｓ  直進経路
【図１】
0004076198.tif 000002
【図２】
0004076198.tif 000003
【図３】
0004076198.tif 000004
【図４】
0004076198.tif 000005
【図５】
0004076198.tif 000006
【図６】
0004076198.tif 000007
【図７】
0004076198.tif 000008
【図８】
0004076198.tif 000009
【図９】
0004076198.tif 000010
【図１０】
0004076198.tif 000011
【図１１】
0004076198.tif 000012
【図１２】
0004076198.tif 000013
【図１３】
0004076198.tif 000014
【図１４】
0004076198.tif 000015
【図１５】
0004076198.tif 000016
【図１６】
0004076198.tif 000017
【図１７】
0004076198.tif 000018